(57)【要約】【課題】  影等が形成されることなく、上方の作業対象箇所の全体に光を照射可能な作業用装置を提供する。【解決手段】  上方の作業対象箇所に対して、下方から各種の作業を行う際に用いられる作業用装置１であって、長尺の操作部２と、該操作部２の先端側に着脱自在に取り付けられる照明器具４と、該照明器具４の前記操作部２とは反対側の部分に着脱自在に取り付けられる先端工具２５とを備え、前記照明器具４は、前記先端工具２５側に向けて光を照射可能に構成されている。上方の作業対象箇所に対して、下方から先端工具２５によって各種の作業を行う場合に、作業対象箇所の状況を正確に目視しながら、各種の作業を行うことができる。【選択図】        図１
2013030432.tif 000002
【特許請求の範囲】
【請求項１】
上方の作業対象箇所に対して、下方から各種の作業を行う際に用いられる作業用装置であって、
長尺の操作部と、該操作部の先端側に着脱自在に取り付けられる照明器具と、該照明器具の前記操作部とは反対側の部分に着脱自在に取り付けられる先端工具とを備え、
前記照明器具は、前記先端工具側に向けて光を照射可能に構成されていることを特徴とする作業用装置。
【請求項２】
前記照明器具は、第１取付手段を介して前記操作部の先端側に着脱可能に取り付けられるとともに、前記先端工具は、前記第１取付手段と同一構成の第２取付手段を介して前記照明器具に着脱可能に取り付けられていることを特徴とする請求項１に記載の作業用装置。
【請求項３】
上方の作業対象箇所に対して、下方から各種の作業を行う際に用いられる作業用装置であって、
長尺の操作部と、該操作部の先端側に着脱自在に取り付けられる先端工具と、前記操作部の前記先端工具とは反対側の部分に着脱自在に取り付けられるとともに、前記先端工具側に向けて光を照射可能な照明器具とを備えていることを特徴とする作業用装置。
【請求項４】
前記照明器具には、前記操作部との干渉を避ける逃げ部が設けられていることを特徴とする請求項３に記載の作業用装置。
【発明の詳細な説明】
【技術分野】
【０００１】
本発明は、作業用装置に関し、特に、夜間に、上方の作業対象箇所に対して下方から各種の作業を行う場合に有効な作業用装置に関する。
【背景技術】
【０００２】
従来、夜間に間接活線作業を行う場合、作業対象箇所を地上からサーチライト等の照明器具で照らしたり、作業者のヘルメットに取り付けたヘッドライト等の照明器具で電柱から作業対象箇所を照らしたり、高所作業車のバケットに取り付けた照明器具で作業対象箇所を下方から照らしたりすることが行われている。
【０００３】
しかし、地上から照明器具で照らす方法は、照射角度によっては影になる部分が多く発生する。また、ヘルメットに取り付けた照明器具で照らす方法は、照射角度を作業対象箇所に合わせるのが難しい。さらに、バケットに取り付けた照明器具で照らす方法は、照射角度によっては影になる部分が多く発生する。このため、これらの何れの方法を用いても、作業対象箇所の状況を目視によって正確に確認することが難しく、作業者の安全を確保することが難しい。
【０００４】
作業対象箇所を照明器具で照らす方法の例が特許文献１〜３に記載されている。特許文献１に記載の方法は、先端に開閉可能なカッターを有するレスキュー工具のハンドルに、レンズ、ランプ、レンズホルダ、ランプホルダからなる照明要素を一体に組み込んだものを用い、レスキュー工具のカッターを開閉させて対象物を切断する際に、照明要素のランプから対象物に向けて光を照射させるように構成したものである。
【０００５】
また、特許文献２に記載の方法は、クリップ本体と、クリップ本体のクリップ軸に揺動可能に取り付けられた横方向揺動アームと、横方向揺動アームの頂部に回転可能に取り付けられた回転部材と、回転部材に縦方向に揺動可能に取り付けられた縦方向揺動部材と、縦方向揺動部材に設けられたライトホルダーとを備えたライト取付ホルダーを用い、このライト取付ホルダーのクリップ本体を工具等に取り付け、ライトホルダーにライトを取り付け、工具等によって対象物に対して作業を行う際に、ライトから対象物に向けて光を照射させるように構成したものである。
【０００６】
さらに、特許文献３に記載の方法は、クリップ状の固定部に、フレキシブルシャフトを介してライト部を設けた照明装置を用い、この照明装置を間接活線工具に取り付け、ライト部から作業対象箇所に向けて光を照射するように構成したものである。
【先行技術文献】
【特許文献】
【０００７】
【特許文献１】特表２００８−５４５２３５号公報
【特許文献２】特開平１０−２８３８０２号公報
【特許文献３】特開２０１１−７６７５６号公報
【発明の概要】
【発明が解決しようとする課題】
【０００８】
特許文献１に記載の方法は、レスキュー工具のハンドルの複数箇所に照明要素のランプを設けているため、作業対象箇所の広範囲を照射することができる。しかし、レスキュー工具のハンドルを掴んだ手により、照明要素のライトから照射された光が遮られてしまうことがあり、そのような場合には、作業対象箇所の状況を正確に確認することが困難になり、作業効率が悪化し、また、作業者の安全を確保するのも難しくなる。
【０００９】
また、特許文献２に記載の方法は、クリップ本体に対するライトホルダー（ライト）の取付角度を調整することにより、ライトの照射角度をある程度は調整できるが、ライトで作業対象箇所をスポット的に照射する構成であるため、上方の作業対象箇所の広範囲を照射することができず、作業効率が悪く、また、作業者の安全を確保することも難しい。
【００１０】
さらに、特許文献３に記載の方法は、フレキシブルシャフトを変形させることにより、ライト部による光の照射方向をある程度は調整できるが、ライト部で作業対象箇所をスポット的に照射する構成であるため、上方の作業対象箇所の広範囲を照射することができず、作業効率が悪く、また、作業者の安全を確保することも難しい。
【００１１】
本発明は、上記のような従来の問題に鑑みなされたものであって、夜間に、上方の作業対象箇所に対して下方から各種の作業を行う場合に、作業対象箇所の状況を正確に確認することができ、各種の作業を効率よく、かつ安全に行うことができる作業用装置を提供することを目的とする。
【課題を解決するための手段】
【００１２】
上記のような課題を解決するために、本発明は、以下のような手段を採用している。
すなわち、本発明は、上方の作業対象箇所に対して、下方から各種の作業を行う際に用いられる作業用装置であって、長尺の操作部と、該操作部の先端側に着脱自在に取り付けられる照明器具と、該照明器具の前記操作部とは反対側の部分に着脱自在に取り付けられる先端工具とを備え、前記照明器具は、前記先端工具側に向けて光を照射可能に構成されていることを特徴とする。
【００１３】
本発明の作業用装置によれば、先端工具を用いて、上方の作業対象箇所に対して下方から各種の作業を行う場合に、照明器具によって先端工具側に向けて光を照射することにより、上方の作業対象箇所を照らすことができるので、先端工具による各種の作業を効率良く、かつ安全に行うことができる。
【００１４】
また、本発明において、前記照明器具は、第１取付手段を介して前記操作部の先端側に着脱可能に取り付けられるとともに、前記先端工具は、前記第１取付手段と同一構成の第２取付手段を介して前記照明器具に着脱可能に取り付けられていることとしてもよい。
【００１５】
本発明の作業用装置によれば、照明器具が不要な場合には、照明器具を操作部の先端側から取り外し、照明器具の代わりに先端工具を第２取付手段を介して操作部の先端側に取り付けることができる。
【００１６】
さらに、本発明は、上方の作業対象箇所に対して、下方から各種の作業を行う際に用いられる作業用装置であって、長尺の操作部と、該操作部の先端側に着脱自在に取り付けられる先端工具と、前記操作部の前記先端工具とは反対側の部分に着脱自在に取り付けられるとともに、前記先端工具側に向けて光を照射可能な照明器具とを備えていることを特徴とする。
【００１７】
本発明の作業用装置によれば、先端工具を用いて、上方の作業対象箇所に対して下方から各種の作業を行う場合に、照明器具によって先端工具側に向けて光を照射することにより、上方の作業対象箇所を照らすことができるので、先端工具による各種の作業を効率良く、かつ安全に行うことができる。
【００１８】
さらに、本発明において、前記照明器具には、前記操作部との干渉を避ける逃げ部が設けられていることとしてもよい。
【００１９】
本発明の作業用装置によれば、操作部を操作する際に、操作部が照明器具と干渉するようなことはないので、操作部の先端側の先端工具により、上方の作業対象箇所に対する各種の作業を効率良く、かつ安全に行うことができる。
【発明の効果】
【００２０】
以上、説明したように、本発明の作業用装置によれば、先端工具を用いて、上方の作業対象箇所に対して下方から各種の作業を行う場合に、照明器具によって先端工具側に向けて光を照射することにより、上方の作業対象箇所を照らすことができるので、先端工具による各種の作業を効率良く、かつ安全に行うことができる。
【図面の簡単な説明】
【００２１】
【図１】本発明の作業用装置の第１の実施の形態の全体を示した概略図であって、組立後の状態を示した説明図である。
【図２】図１の作業用装置の組立前の状態を示した説明図である。
【図３】図１の照明器具の平面図である。
【図４】図３の正面図である。
【図５】図４の断面図である。
【図６】図１の作業用装置による間接活線作業を示した説明図である。
【図７】本発明の作業用装置の第２の実施の形態の全体を示した概略図である。
【図８】図７の作業用装置の部分拡大図である。
【図９】図８の平面図である。
【発明を実施するための形態】
【００２２】
以下、図面を参照しながら本発明の実施の形態について説明する。
図１〜図６には、本発明による作業用装置の第１の実施の形態が示されている。本実施の形態の作業用装置１は、例えば、夜間の間接活線作業に適用されるものであって、夜間の間接活線作業の際に、下方から上方の作業対象箇所４５を照らすのに有効なものである。
【００２３】
本実施の形態の作業用装置１は、図１〜図５に示すように、長尺の操作部２と、操作部２の先端側に着脱可能に取り付けられる照明器具４と、照明器具４の操作部２とは反対側の先端側に着脱可能に取り付けられる先端工具２５とを備えている。
【００２４】
操作部２は、例えば、間接活線作業に用いるホットスティック（万能操作棒）であって、図１及び図２に示すように、絶縁材からなるパイプ状の操作ロッド３を備え、この操作ロッド３の先端側に第１取付手段１５を介して照明器具４が着脱可能に取り付けられ、照明器具４の先端側に第２取付手段２７を介して先端工具２５が着脱可能に取り付けられる。
【００２５】
第１取付手段１５は、図１に示すように、操作ロッド３の先端側に着脱可能に取り付けられる第１雄コネクタ１６と、照明器具４側に設けられるとともに、第１雄コネクタ１６と相互に嵌合可能な第１雌コネクタ２１とを備えている。
【００２６】
第１雄コネクタ１６は、図２に示すように、円筒状の本体１７と、本体１７の内側にスライド自在に設けられるとともに、上端が本体１７の上面から上方に突出する押ピン１８と、押ピン１８を上方に付勢するばね（図示せず）と、本体１７の外面に突出した状態に設けられる一対のロックピン１９、１９と、本体１７を操作ロッド３の先端に固定するロックナット２０とから構成されている。
【００２７】
図１に示すように、第１雄コネクタ１６の本体１７を操作ロッド３の先端に位置し、ロックナット２０を操作ロッド３の先端の雌ねじ部（図示せず）に螺合させて締め付けることにより、第１雄コネクタ１６を操作ロッド３の先端側に取り付けた状態に固定することができる。
【００２８】
照明器具４は、図３〜図５に示すように、操作ロッド３の先端側の第１雄コネクタ１６と相互に嵌合可能な第１取付手段１５としての第１雌コネクタ２１と、第１雌コネクタ１２の上部に設けられるライト部５と、ライト部５の上部に設けられる第２取付手段２７としての第２雄コネクタ２８と、第２雄コネクタ２８、ライト部５、及び第１雌コネクタ２１の内部に設けられる電源ユニット８とから構成されている。
【００２９】
第１雌コネクタ２１は、図４及び図５に示すように、円筒状の本体２２と、本体２２に設けられるとともに、本体２２の内外面を貫通する一対のＴ形状のロック溝２３とから構成され、本体２２の上部にライト部５が一体に設けられている。
【００３０】
ライト部５は、図３〜図５に示すように、第１雌コネクタ２１の本体２２の上部に一体に設けられるとともに、周縁部が後述する第２雄コネクタ２８の外面よりも外方に張り出る円盤状のライト取付部６と、ライト取付部６に着脱可能に取り付けられる複数のライト７とから構成されている。
【００３１】
ライト７は、例えば、レンズ付きのＬＥＤランプであって、ライト取付部６の後述する第２雄コネクタ２８の外面よりも外方に張り出る周縁部に、第２雄コネクタ２８の周囲を囲むように、周方向に等間隔ごとに、例えば４箇所に設けられている。
【００３２】
このような位置にライト７を配置することにより、図１、図３、及び図６に示すように、先端工具２５の可動範囲の外側の４方向から上方の作業対象箇所４５に向けて各ライト７から光を照射させることができるとともに、各々のライト７から照射した光を中央で互いに重なり合せることができるので、作業対象箇所４５の全体の隅々まで光を照射させることができる。
なお、ライト７は、４箇所に限らず、２箇所、３箇所、又は５箇所以上に設けてもよい。要は、作業対象箇所４５を下方から正確に目視できるように、光を照射できる数量であればよい。
【００３３】
各ライト７は、ライト取付部６に対する取付角度の調整が可能に構成され、各ライト７のライト取付部６に対する取付角度を調整することにより、各ライト７の照射角度を調整することができる。
【００３４】
なお、ライト７として、レンズ付きのＬＥＤランプに限らず、広範囲に光を照射することが可能な機能を有する各種のライトを用いてもよい。
【００３５】
第２取付手段２７は、図１及び図２に示すように、照明器具４のライト取付部６の上部に着脱可能に設けられる第２雄コネクタ２８と、先端工具２５側に設けられるとともに、第２雄コネクタ２８と相互に嵌合可能な第２雌コネクタ３５とを備えている。
【００３６】
第２雄コネクタ２８は、図３〜図５に示すように、第１雄コネクタ１６とほぼ同一構成を有するものであって、円筒状の本体２９と、本体２９の内側にスライド自在に設けられるとともに、上端が本体２９の上面から上方に突出する押ピン３０と、押ピン３０を上方に付勢するばね（図示せず）と、本体２９の外面に突出した状態に設けられる一対のロックピン３１、３１と、本体２９をライト取付部６の上部に固定するロックナット３２とを備えている。
【００３７】
図１及び図２に示すように、第２雄コネクタ２８の本体２９をライト取付部６の上部に位置し、ロックナット３２をライト取付部６の上部の雌ねじ部（図示せず）に螺合させて締め付けることにより、第２雄コネクタ２８をライト取付部６の上部に取り付けた状態に固定することができる。
【００３８】
電源ユニット８は、図５に示すように、第２雄コネクタ２８の本体２９、ライト取付部６、及び第１雌コネクタ２１の内側に設けられる電池ボックス９内に収納される電池１１と、電池１１と各ライト７との間を電気的に接続する電源回路（図示せず）と、電源回路を入切する入切スイッチ１２とを備えている。電池ボックス９の下端には開閉蓋１０が設けられている。入切スイッチ１２は、例えば、電池１１と第２雄コネクタ２８の押ピン３０の下端との間に設けられている。
【００３９】
先端工具２５は、図１及び図２に示すように、ブラシ、カッター、ペンチ、ドライバー等の工具本体２６と、工具本体２６の基部に一体に設けられる第２取付手段２７としての第２雌コネクタ３５とを備えている。
【００４０】
第２雌コネクタ３５は、図１及び図２に示すように、第１雌コネクタ２１とほぼ同一構成を有するものであって、円筒状の本体３６と、本体３６に設けられるとともに、本体３６の内外面を貫通する一対のＴ形状のロック溝３７とから構成され、本体３６の上部に工具本体２６が一体に設けられている。
【００４１】
そして、上記のような構成の操作ロッド３、照明器具４、及び先端工具２５からなる作業用装置１を組み立てるには、図１及び図２に示すように、まず、操作ロッド３の先端に上記の手順によって第１取付手段１５としての第１雄コネクタ１６を取り付ける。
【００４２】
次に、照明器具４側の第１取付手段１５としての第１雌コネクタ２１の本体２２の内側に、操作ロッド３側の第１雄コネクタ１６の本体１７を嵌合させ、第１雄コネクタ１６の本体１７の外面側の各ロックピン１９を第１雌コネクタ２１の本体２２の各ロック溝２３内に挿入させ、第１雄コネクタ１６側の押ピン１８の上端を第１雌コネクタ２１の本体２２の上面に当接させ、押ピン１８をばねの付勢力に抗して本体１７内に押し込む。
【００４３】
そして、この状態で、第１雄コネクタ１６の本体１７を第１雌コネクタ２１の本体２２に対して相対的に回転させ、第１雄コネクタ１６の本体１７の外面側の各ロックピン１９を第１雌コネクタ２１の本体２２の各ロック溝２３内をスライドさせて各ロック溝２３の端部に位置させ、ばねの付勢力によって押ピン１８を本体２２の上面から突出させることにより、本体２２を相対的に押し下げ、本体２２の外面側の各ロックピン１９を各ロック溝２３の端部に嵌合させる。
【００４４】
これにより、照明器具４を操作ロッド３の先端側に、第１取付手段１５としての第１雄コネクタ１６及び第１雌コネクタ２１を介して取り付けることができる。
なお、照明器具４を操作ロッド３の先端側から取り外すには、上記と逆の手順を辿ることになる。
【００４５】
次に、照明器具４側の第２雄コネクタ２８の本体２９を先端工具２５側の第２雌コネクタ３５の本体３６の内側に嵌合させ、第２雄コネクタ２８の本体２９の外面側の各ロックピン３１を第２雌コネクタ３５の本体３６の各ロック溝３７内に挿入させ、第２雄コネクタ２８側の押ピン３０の上端を第２雌コネクタ３５の本体３６の上面に当接させ、押ピン３０をばねの付勢力に抗して本体２９内に押し込む。
【００４６】
そして、この状態で、第２雄コネクタ２８の本体２９を第２雌コネクタ３５の本体３６に対して相対的に回転させ、第２雄コネクタ２８の本体２９の外面側の各ロックピン３１を第２雌コネクタ３５の本体３６の各ロック溝３７内をスライドさせて各ロック溝３７の端部に位置させ、ばねの付勢力によって押ピン３０を本体２９の上面から突出させることにより、本体２９を相対的に押し下げ、本体２９の外面側の各ロックピン３１を各ロック溝３７の端部に嵌合させる。
【００４７】
これにより、照明器具４に先端工具２５を、第２取付手段２７としての第２雄コネクタ２８及び第２雌コネクタ３５を介して取り付けることができる。また、照明器具４に先端工具２５を、第２雄コネクタ２８及び第２雌コネクタ３５を介して取り付けることにより、照明器具４側の第２雄コネクタ２８の押ピン３０がばねの付勢力に抗して本体２９内に押し込まれ、押ピン２９の下端で入切スイッチ１２が押圧されることにより、入切スイッチ１２が「入」状態とされ、照明器具４の各ライト７が点灯される。
【００４８】
なお、入切スイッチ１２を「切」状態とするには、先端工具２５を照明器具４から取り外し、先端工具２５側の第２雌コネクタ３５の本体３６に対する照明器具４側の第２雄コネクタ２８の本体２９の嵌合状態を解除し、押ピン３０による入切スイッチ１２の押圧状態を解除するか、或いは、先端工具２５を照明器具４から取り外し、先端工具２５側の第２雌コネクタ３５の本体３６に対する照明器具４側の第２雄コネクタ２８の本体２９の嵌合状態を解除し、押ピン３０による入切スイッチ１２の押圧状態を解除した後に、再度、作業者が押ピン３０を本体２９内に押し込んで、押ピン３０で入切スイッチ１２を押圧する。
【００４９】
そして、上記のように構成した本実施の形態の作業用装置１を用いて、例えば、夜間に間接活線作業を行うには、図６に示すように、例えば、二人の作業者が一組となり、両作業者が電柱４０を所定の高さまで登り、或いは、高所作業車４２のバケット４３内に両作業者が乗って所定の高さまで上昇し、各作業者が作業用装置１を手で持ち、各作業者が作業用装置１の照明器具４の各ライト７で作業対象箇所４５を照らしながら、先端工具２５（ブラシ、カッター、ペンチ、ドライバー等）を操作することにより、作業対象箇所４５に対して各種の作業（例えば、架線４１に引っ掛かった物の除去等の作業）を行うことができる。
【００５０】
上記のように構成した本実施の形態の作業用装置１にあっては、照明器具４のライト取付部６の周縁部（第２雄コネクタ２８の外面よりも外側に張り出た部分）に、第２雄コネクタ２８の周囲を囲むように、等間隔ごとに４箇所にライト７を設けて、４箇所のライト７により、先端工具２５の外側の４方向から上方の作業対象箇所４５に向けて光を照射させるとともに、各々のライト７から照射させた光を中央で互いに重なり合わせるように構成したので、先端工具２５によって上方の作業対照箇所４に影が形成されるようなことはなく、作業対象箇所４５の全体の隅々まで光を照射させることができる。従って、作業対象箇所４５に対する各種の作業を効率良く、かつ安全に行うことができる。
【００５１】
また、照明器具４を、操作ロッド３の先端側に第１取付手段１５の第１雄コネクタ１６及び第１雌コネクタ２１を介して着脱可能に取り付けるように構成したので、照明器具４が不要な場合には、照明器具４を操作ロッド３の先端側から取り外し、操作ロッド３の先端に照明器具４の代わりに先端工具２５を取り付けることができるので、汎用性を高めることができる。
【００５２】
図７〜図９には、本発明による作業用装置の第２の実施の形態が示されている。本実施の形態の作業用装置５１は、長尺の操作部５２と、操作部５２の先端側に着脱可能に取り付けられる照明器具７５と、操作部５２の先端側に取り付けられる先端工具（図示せず）とを備えている。
【００５３】
操作部５２は、例えば、間接活線作業に用いるホットスティック（ヤットコ）であって、図７に示すように、絶縁材からなるパイプ状の操作ロッド５３と、操作ロッド５３に対して略平行に設けられる絶縁材からなるパイプ状の連結ロッド５４と、アルミ合金製のＬ形状の操作レバー５７と、操作ロッド５３の先端側に取付金具５９を介して取り付けられる第１アーム６８と第２アーム７０とからなる把持部６７とを備え、操作ロッド５３の先端側に照明器具７５が着脱可能に取り付けられ、把持部６７の両アーム６８、７０の先端に各種の先端工具が着脱可能に取り付けられる。
【００５４】
取付金具５９は、操作ロッド５３の先端側に取り付けられる基部６０と、基部６０の先端に一体に設けられるアーム取付部６１とから構成され、アーム取付部６１に第１アーム６８の基端６９が固定され、第１アーム６８の基端６９に第２アーム７０の基端７１が噛合され、この状態で第２アーム７０の基端７１が第１アーム６１の基端６９に連結ピン７２を介して回動自在に連結される。
【００５５】
第１アーム６８は、図７に想像線で示すように、アーム取付部６１に対する取付角度が調整可能に構成され、第１アーム６８のアーム取付部６１に対する取付角度を調整することにより、第１アーム６８の操作ロッド５３の軸線に対する開き角度を調整することができる。
【００５６】
操作ロッド５３の基端５５側には、レバー取付部６２が設けられ、このレバー取付部６２に操作レバー５７が連結ピン６３を介して回動自在に連結され、連結ピン６３を中心として操作レバー５７を操作ロッド５３に接近又は離間する方向に回動させることができる。
【００５７】
連結ロッド５４は、先端が連結金具６４を介して第２アーム７０の基端７１近傍に回動自在に連結されるとともに、基端５５が連結ピン６３を介して操作レバー５７の先端５８に回動自在に連結されている。操作レバー５７を操作ロッド５３に接近又は離間する方向に回動させることにより、操作レバー５７に追従して連結ロッド５４を操作ロッド５３に沿う方向に移動させることができる。
【００５８】
連結金具６４は、連結ロッド５４の先端５９に固定される筒状の基部６５と、基部６５の先端に一体に設けられる角度調整部６６とを備え、角度調整部６６が連結ピン（図示せず）を介して第２アーム７０の基端７１近傍に回動自在に連結されている。角度調整部６６の第２アーム７０に対する連結位置を調整することにより、第２アーム７０の第１アーム６８に対する開閉角度を調整できる。
【００５９】
操作部５２は、把持部６７の両アーム６８、７０をそのまま使用して、作業対象箇所４５に対して各種の作業を行ってもよいし、両アーム６８、７０の先端にペンチ、ドライバー、カッター等の各種の先端工具を取り付け、両アーム６８、７０に連動させて各種の先端工具を操作することにより、作業対象箇所４５に対して各種の作業を行ってもよい。
【００６０】
照明器具７５は、図８及び図９に示すように、操作ロッド５３の先端の取付金具５９よりも下方の部分に着脱可能に取り付けられるライト部７６と、ライト部７６を操作ロッド５３に固定する固定部材８１と、ライト部７６に設けられる電源ユニット（図示せず）とを備えている。
【００６１】
ライト部７６は、操作ロッド５３の先端に取り付けられる平面視Ｕ形状のライト取付部７７と、ライト取付部７７に着脱可能に取り付けられる複数のライト７８とから構成され、ライト取付部７７の内側に連結ロッド５４との干渉を避ける逃げ部７９が設けられている。
【００６２】
ライト取付部７７の内面には、ゴム等の弾性体からなる滑り止め部材８０が貼り付けられ、この滑り止め部材８０により、ライト取付部７７が操作ロッド５３の所定の位置からずれるが防止される。
【００６３】
固定部材８１は、例えば、ボルトとナットとからなるものであって、ライト取付部７７を操作ロッド５３に取り付けた状態で、ライト取付部７７にボルトを挿通させて、ナットで締め付けることにより、ライト取付部７７が操作ロッド５３から外れるのを防止できる。
【００６４】
ライト７８は、前記第１の実施の形態と同様に、例えば、レンズ付きのＬＥＤランプから構成されるものであって、ライト取付部７７の操作ロッド５３を中心として４箇所に、操作ロッド５３の周囲を囲むように設けられている。
【００６５】
このような位置にライト７８を配置することにより、把持部６７の両アーム６８、７０の外側の４方向から、或いは、両アーム６８、７０の先端に取り付けられた先端工具の外側の４方向から、上方の作業対象箇所４５に向けて各ライト７８から光を照射させることができるとともに、各々のライト７８から照射させた光を中央で互いに重なり合せることができ、作業対象箇所４５の全体の隅々まで光を照射させることができる。
なお、ライト７は、４箇所に限らず、２箇所、３箇所、又は５箇所以上に設けてもよい。要は、作業対象箇所４５を下方から正確に目視できるように、光を照射できる数量であればよい。
【００６６】
各ライト７８は、ライト取付部７７に対する取付角度の調整が可能に構成され、各ライト７８のライト取付部７７に対する取付角度を調整することにより、各ライト７８からの光の照射角度を調整することができる。
【００６７】
なお、ライト７８として、レンズ付きのＬＥＤランプに限らず、広範囲に光を照射することが可能な機能を有する各種のライトを用いてもよい。
【００６８】
電源ユニット（図示せず）は、例えば、ライト取付部７７の内部に設けられる電池と、電池と各ライト７８とを電気的に接続する電源回路と、電源回路を入切する入切スイッチとから構成されている。入切スイッチを「入」又は「切」とすることにより、各ライト７８を点灯又は消灯させることができる。
【００６９】
上記のように構成した本実施の形態の作業用装置５１にあっても、前記第１の実施の形態に示すものと同様に、照明器具７５のライト取付部７７の操作ロッド５３を中心とする４箇所に、操作ロッド５３の周囲を囲むようにライト７８を設けて、把持部６７の両アーム６８、７０の外側の４方向から、或いは、両アーム６８、７０に取り付けられる先端工具の外側の４方向から、上方の作業対象箇所４５に向けて光を照射させるとともに、各々のライト７８から照射させた光を中央で互いに重なり合うように構成したので、把持部６７の両アーム６８、７０、又は両アーム６８、７０の先端に取り付けられる先端工具によって作業対象箇所４５に影が形成されるようなことはなく、作業対象箇所４５の全体の隅々までライト７８からの光を照射させることができる。従って、作業対象箇所４５に対する各種の作業を効率良く、かつ安全に行うことができる。
【００７０】
また、照明器具７５のライト取付部７７を平面視Ｕ形状に形成し、内側に逃げ部７９を形成したので、操作部５２の把持部６７の両アーム６８、７０を開閉させるために操作レバー５７を操作して連結ロッド５４を可動させても、連結ロッド５４とライト取付部７７とが干渉して、把持部６７の両アーム６８、７０の開閉動作を妨げるようなことはなく、把持部６７の両アーム６８，７０による各種の作業、或いは両アーム６８、７０取り付けた先端工具による各種の作業を効率良く、かつ安全に行うことができる。
【符号の説明】
【００７１】
１  作業用装置
２  操作部
３  操作ロッド
４  照明器具
５  ライト部
６  ライト取付部
７  ライト
８  電源ユニット
９  電池ボックス
１０  開閉蓋
１１  電池
１２  入切スイッチ
１５  第１取付手段
１６  第１雄コネクタ
１７  本体
１８  押ピン
１９  ロックピン
２０  ロックナット
２１  第１雌コネクタ
２２  本体
２３  ロック溝
２５  先端工具
２６  工具本体
２７  第２取付手段
２８  第２雄コネクタ
２９  本体
３０  押ピン
３１  ロックピン
３２  ロックナット
３５  第２雌コネクタ
３６  本体
３７  ロック溝
４０  電柱
４１  架線
４２  高所作業車
４３  バケット
４５  作業対象箇所
５１  作業用装置
５２  操作部
５３  操作ロッド
５４  連結ロッド
５５  基端
５６  先端
５７  操作レバー
５８  先端
５９  取付金具
６０  基部
６１  アーム取付部
６２  レバー取付部
６３  連結ピン
６４  連結金具
６５  基部
６６  角度調整部
６７  把持部
６８  第１アーム
６９  基端
７０  第２アーム
７１  基端
７２  連結ピン
７５  照明器具
７６  ライト部
７７  ライト取付部
７８  ライト
７９  逃げ部
８０  滑り止め部材
８１  固定部材
【図１】
2013030432.tif 000003
【図２】
2013030432.tif 000004
【図３】
2013030432.tif 000005
【図４】
2013030432.tif 000006
【図５】
2013030432.tif 000007
【図６】
2013030432.tif 000008
【図７】
2013030432.tif 000009
【図８】
2013030432.tif 000010
【図９】
2013030432.tif 000011